(57)【要約】【課題】本考案は、洗濯時の型崩れの防止や、摩擦やねじれによる損傷防止等が図られるとともに、洗濯が終われば、下着を収容したまま洗濯ネット自身を物干しに干すことができる下着用洗濯ネットを提供することにある。【解決手段】本考案に係る下着用洗濯ネットは、ネット状部材から成る袋体と、袋体の上面に設けられた開口を長さ方向に開閉可能なファスナと、袋体の開口の内側の長さ方向の両端に固定され下着を着脱可能に挟着するクリップとを備えることを特徴とする。また、袋体は、一側面と当該一側面と対抗する側面に、留め具が設けられており、両側面を接合することが可能にすると、二つ折りにして洗濯することができる。【選択図】図１
0003234227.tif 000002
【実用新案登録請求の範囲】
【請求項１】
ネット状部材から成る袋体と、前記袋体の上面に設けられた開口を長さ方向に開閉可能なファスナと、前記袋体の開口の内側の長さ方向の両端に固定され下着を着脱可能に挟着するクリップとを備えることを特徴とする下着用洗濯ネット。
【請求項２】
前記袋体は、一側面と当該一側面と対抗する側面に、留め具が設けられており、両側面を接合することが可能な留め具が設けられていることを特徴とする請求項１に記載の下着用洗濯ネット。
【請求項３】
さらに、一対の把手を備え、該把手の端部は、前記袋体の開口の内側の長さ方向の両端に縫着され、前記ファスナを開放したときには前記袋体の開口から引き上げて取り出し、前記ファスナを閉鎖状態のときは前記袋体の内部に収容されることを特徴とする請求項１又は２に記載の下着用洗濯ネット。
【請求項４】
前記ネット状部材は、少なくとも全部又は一部を不透明に又は染色したものであることを特徴とする請求項１ないし３のいずれかに記載の下着用洗濯ネット。
【請求項５】
前記袋体は、全部又は一部に所望の意匠が施されたものであることを特徴とする請求項１ないし４のいずれかに記載の下着用洗濯ネット。
【請求項６】
前記袋体は、少なくとも２つの前記ネット状部材が順次内包して形成される多重の袋体であって、前記少なくとも２つのネット状部材は、網目の大きさが互いに異なることを特徴とする請求項１ないし５のいずれかに記載の下着用洗濯ネット。
【考案の詳細な説明】
【技術分野】
【０００１】
本考案は、下着用洗濯ネット、特に、ブラジャーを収納して洗うことができ、さらに洗濯済下着を収納したまま、干すことができる下着用洗濯ネットに関する。
【背景技術】
【０００２】
ブラジャーなどの洗濯物を収容して洗濯するための、ネット状部材からなる袋状の洗濯ネットは既に知られている。洗濯ネットに収容された洗濯物が、洗濯機の洗濯槽に入れられ、他の洗濯物とともに又は単独で洗濯される。
【０００３】
また、ブラジャー専用の洗濯ネットとして、種々の発明や考案が提案されている。
特許文献１には、ネット状部材からなる小判形の袋体で構成された洗濯ネットが開示されている。この袋体は、２枚の小判形のネット状部材の周縁部が縫い合わされて袋状にされ、周縁部の一部に開口部が形成されている。開口部にはファスナが取り付けられ、開閉可能になっている。また、この袋体の上下または左右には寄せ縫いを施したギャザーが設けられ、折り畳んで収容した洗濯物に対して袋体がフィットしやすいようになっている。
特許文献２に記載のブラジャー用洗濯ネットは、ネット状部材から成る袋体と、袋体の開口部の周縁に連結され、開口部を開閉自在に閉鎖する蓋と、を備え、第１の端縁部が蓋の内面側に取り付けられ、第２の端縁部が蓋の閉鎖時に袋体に収容された洗濯物であるブラジャーに当接して該ブラジャーの動きを規制する押え板を更に備えている。
特許文献３に記載のブラジャー用洗濯ネットは、二つの半球状ネット体が円周縁に設けられ一箇所の連結部で連結されものであり、それぞれの半球状ネット体には、その円周縁の連結部を開閉口端とするファスナが取付けられており、該ファスナを閉じることによって、前記半球状ネット体が合体して球状ネット体を形成できるようになっており、かつ、それぞれの該半球状ネット体には、それをほぼ二分し半球状の形態を維持するための弓形又は半リング状のはり部材が、前記連結部を起点とした位置に設けられており、更に、それぞれの該半球状ネット体の内部には、ブラジャーを挟み込み固定するためのベルトが装着されている。
特許文献４に記載の洗濯ネットは、ブラジャーなどを収納して洗うための洗濯ネットであって、開口部の周縁に略半円形状の剛性と弾力性を有する補強枠を設けると共に、その補強枠の両端間の開口縁を伸縮性縁で構成し、その伸縮性縁が補強枠を乗り越えるように開口縁を裏面側に折り返して開口部を閉じるようにしている。
また、特許文献５に記載のブラジャー用洗濯ネットは、ホック用ファスナを設け、下面に２つの網目状ネットに覆われた半球体を設け、上面には半球体と合体できる膨らみを形成し、２つの膨らみの中間とそれぞれの両端にダーツを設けるようにしている。
【先行技術文献】
【特許文献】
【０００４】
【特許文献１】特許第６２０３９９７号公報
【特許文献２】特開２０１９−８４０３６号公報
【特許文献３】特許第５３１３８０９号公報
【特許文献４】特開２００２−３４６２７９号公報
【特許文献５】特開２００１−１３７５９３号公報
【考案の概要】
【考案が解決しようとする課題】
【０００５】
下着を洗濯する場合の問題は、下着の型崩れや損傷等を防ぐのみならず、特に女性の場合、洗濯物を干すときに気になるのは、下着の干し場所であり、人目に触れたくないから外には干しづらく、また、部屋干し中でも急な来客があった場合は、物干しそのものを別の部屋に移動しなければならない。
しかしながら、上記特許文献１乃至４の従来の各技術は、洗濯時の型崩れの防止や、摩擦やねじれによる損傷防止等の効果を求めるものにすぎず、洗濯が終われば、洗濯ネットから下着を取り出し、取り出した下着は物干しに干されることになる。特許文献５に記載のものは、洗濯ネットに入れたまま干せるものであるが、構造が複雑であり、製造コストがかさむとともに、下着の出し入れに手間がかかるという問題があった。
【０００６】
本考案は、このような問題に鑑み、洗濯時の型崩れの防止や、摩擦やねじれによる損傷防止等が図られるとともに、洗濯が終われば、下着を収容したまま洗濯ネット自身を物干しに干すことができる下着用洗濯ネットを提供することにある。
【課題を解決するための手段】
【０００７】
上記問題を解決するために、本考案に係る下着用洗濯ネットは、ネット状部材から成る袋体と、袋体の上面に設けられた開口を長さ方向に開閉可能なファスナと、袋体の開口の内側の長さ方向の両端に固定され下着を着脱可能に挟着するクリップとを備えることを特徴とする。また、袋体は、一側面と当該一側面と対抗する側面に、留め具が設けられており、両側面を接合することが可能にすると、二つ折りにして洗濯することができる。
さらに、本考案に係る下着用洗濯ネットは、一対の把手を備え、該把手の端部は、袋体の開口の内側の長さ方向の両端に縫着され、ファスナを開放したときには袋体の開口から引き上げて取り出し、ファスナを閉鎖状態のときは袋体の内部に収容される。
【０００８】
また、袋体のネット部材を、少なくとも全部又は一部を不透明に又は染色したり、袋体の全部又は一部に所望の意匠が施したりすると、洗濯ネットの収容物が見えにくくなる。さらに、袋体は、少なくとも２つの前記ネット状部材が順次内包して形成される多重の袋体とし、少なくとも２つのネット状部材は、互いに網目の大きさが異なるようにすることで、洗濯ネットの収容物が見えにくくなる。
【考案の効果】
【０００９】
本考案に係る下着用洗濯ネットによれば、洗濯時の型崩れの防止や、摩擦やねじれによる損傷防止等が図られるとともに、洗濯が終われば、下着を収容したまま洗濯ネット自身を物干しに干すことができるので、下着を第三者に見られることもない。また、把手がついているので、洗濯機から物干し場まで持参するのに便利である。
【図面の簡単な説明】
【００１０】
【図１】実施例１に係る下着用洗濯ネット１の斜視図である。
【図２】実施例１に係る下着用洗濯ネット１の透視正面図である。
【図３】実施例１に係る下着用洗濯ネット１を半折り状態にする様子を示す透視図である。
【図４】実施例１に係る下着用洗濯ネット１を干している状態を示す透視図である。
【図５】実施例２に係る下着用洗濯ネット２の斜視図である。
【図６】実施例２に係る下着用洗濯ネット２の透視正面図である。
【図７】実施例２に係る下着用洗濯ネット２を干している状態を示す透視図である。
【図８】実施例３に係る下着用洗濯ネット３の正面図である。
【考案を実施するための形態】
【００１１】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。
【実施例１】
【００１２】
実施例１を図面を参照して詳細に説明する。
【００１３】
図１（ａ）及び（ｂ）を参照する。図１は、実施例１に係る下着用洗濯ネット１の斜視図であり、（ａ）は袋体の開口が閉鎖されている状態を示し、（ｂ）は袋体の開口が開放されている状態を示す。
下着用洗濯ネット１は、ネット状部材から成る袋体１０と、袋体１０の上面に設けられた開口１００を長さ方向に開閉可能なファスナ１０１と、袋体の開口１００の内側の長さ方向の両端に固定され下着を着脱可能に挟着するクリップ１１とを備える。実施例１において、ファスナ１０１は線ファスナを採用し、ヘッドファスナ１０２を備えるようにしているが、線ファスナに限定されず、例えば面ファスナを採用してもよい。
また、袋体１０は、一側面と当該一側面と対抗する側面に、留め具１２が設けられている。このように、袋体１０の両側面を接合することを可能にすると、二つ折りにして洗濯することができる。
なお、袋体１０のネット状部材の素材は、通気性および遮光性を兼ね備えたメッシュ生地であればよく、ポリエステルやナイロンを採用するとよいが、特に限定されない。また、ポリエステルとナイロンを交互に縞状に編み上げることで形成してもよい。さらに、後述するとおり、袋体１０は、複数のネット状部材を順次内包して形成される多重の袋体としてもよい。
【００１４】
図２を参照する。実施例１に係る下着用洗濯ネット１の透視正面図であり、（ａ）（ｂ）ともに袋体の開口が閉鎖されている状態を示し（ａ）は、収容物なしの袋体１０の内部状態を示し、（ｂ）は袋体１０にブラジャーＢが収容されている状態を示す。
図１と説明が重複するが、図２（ａ）に示すとおり、下着用洗濯ネット１は、ネット状部材から成る袋体１０と、袋体１０の上面に設けられた開口１００を長さ方向に開閉可能なファスナ１０１と、袋体の開口１００の内側の長さ方向の両端に固定され下着を着脱可能に挟着するクリップ１１とを備える。また、袋体１０は、一側面と当該一側面と対抗する側面に、留め具１２ａ、１２ｂが設けられている。実施例１において、留め具１２ａ、１２ｂは雄雌のホックを採用しているが、これに限定されず、例えば面ファスナを採用してもよい。
また、図２（ｂ）に示すとおり、袋体１０に逆さに収容されたブラジャーＢのカップ部の両端をクリップ１１で挟持していることが理解できるであろう。
【００１５】
図３を参照する。図３は、実施例１に係る下着用洗濯ネット１を半折り状態にする様子を示す透視図であり、（ａ）、（ｂ）ともに袋体の開口が閉鎖されている状態を示し、（ａ）は、袋体１０にブラジャーＢが収容されている状態で、図２（ｂ）と同一の図であり、（ｂ）は袋体１０を半折りにした状態を示す。
図３（ａ）には、一側面と当該一側面と対抗する側面に設けられた留め具１２ａ、１２ｂを係止することにより、中央縦に記された一鎖破線を軸にして、袋体１０が半折りされることになる（図３（ｂ））。このように袋体１０を半折りすることで、収容されたブラジャーＢの洗濯中の型崩れを防止することができる。
【００１６】
図４を参照する。図４は、（ａ）、（ｂ）ともに、実施例１に係る下着用洗濯ネット１を干している状態を示す透視図であり、（ａ）は、袋体の開口が閉鎖されている状態を示し、（ｂ）は袋体の開口が開放されている状態を示す。
図４に示すとおり、実施例１に係る下着用洗濯ネット１は、下着等を収容したまま干すことができ、（ａ）又は（ｂ）のいずれかの干し方を採用することができる。
【実施例２】
【００１７】
実施例２を図面を参照して詳細に説明する。
【００１８】
図５を参照する。図５は、実施例２に係る下着用洗濯ネット２の斜視図であり、（ａ）は袋体の開口が閉鎖されている状態を示し、（ｂ）は袋体の開口が開放されている状態を示す。
下着用洗濯ネット２は、実施例１と同様に、ネット状部材から成る袋体２０と、袋体２０の上面に設けられた開口２００を長さ方向に開閉可能なファスナ２０１と、袋体の開口２００の内側の長さ方向の両端に固定され下着を着脱可能に挟着するクリップ２１とを備える。また、袋体２０は、一側面と当該一側面と対抗する側面に、留め具２２が設けられている。
実施例１と異なる点は、下着用洗濯ネット２は、一対の把手２３ａ、２３ｂを備え、該把手の端部は、袋体の開口２００の内側の長さ方向の両端に縫着され、ファスナ２０１を開放したときには袋体２０の開口から引き上げて取り出し、ファスナを閉鎖状態のときは袋体２０の内部に収容されるという点である。把手２３ａ、２３ｂを備えることにより、洗濯機から取り出した下着用洗濯ネット２を把手２３ａ、２３ｂを持って、干場に向かうことができるという利便性がある。
【００１９】
図６を参照する。実施例２に係る下着用洗濯ネット２の透視正面図であり、（ａ）、（ｂ）ともに状態を示し（ａ）は、収容物なしの袋体の開口が閉鎖されている内部状態を示し、（ｂ）は収容物なしの袋体の開口が開放され、把手２３ｂが開口から引き出された状態を示す。
図６（ａ）に示すとおり、下着用洗濯ネット２は、ネット状部材から成る袋体２０と、袋体２０の上面に設けられた開口２００を長さ方向に開閉可能なファスナ２０１と、袋体２０の開口２００の内側の長さ方向の両端に固定され下着を着脱可能に挟着するクリップ２１とを備える。また、袋体２０は、一側面と当該一側面と対抗する側面に、留め具２２ａ、２２ｂが設けられている。さらに、下着用洗濯ネット２は、把手２３ａ、２３ｂを備えているが、図６においては、２３ｂのみが示され、把手２３ｂの端部は、袋体の開口２００の内側の長さ方向の両端に縫着されている。そして、図６（ａ）においては、収容物なしの袋体の開口が閉鎖されている内部状態を示し、把手２３ｂは袋体２０の内部に収容されている。
一方、図６（ｂ）に示すとおり、把手２３ｂは、ファスナ２０１を開放したときには袋体２０の開口２００から引き上げて取り出されて使用される。
【００２０】
図７を参照する。図７は、実施例２に係る下着用洗濯ネット２を干している状態を示す透視図である。
実施例２に係る下着用洗濯ネット２は、把手２３ａ、２３ｂを備えているので、持ち運びのみならず、下着用洗濯ネット２を干す場合に、把手２３ａ、２３ｂを離隔した上で、洗濯バサミＰで把手２３ａ、２３ｂを挟持することができ、洗濯物と袋体２０の内部にスペースができ、さらに、開口２００を開放することで、下着を収容したまま下着用洗濯ネット２をより乾燥させることが可能になり、便利である。なお、袋本体２０を洗濯バサミＰで挟持して干すことも可能である。
【実施例３】
【００２１】
実施例３を図面を参照して詳細に説明する。
【００２２】
図８を参照する。図８は、実施例３に係る下着用洗濯ネット３の正面図であり、袋体３０の一部に意匠を施している例を示している。
下着用洗濯ネット３の構成は、実施例１及び２と同様であるので、詳細な説明は省略するが、図８に示すとおり、袋体３０の一部に、（ａ）は星形模様、（ｂ）は市松格子、（ｃ）は波形模様の意匠を施している。これらは一例であり、花柄や文字柄等所望の意匠を選択すればよい。このように、袋体の全部又は一部に所望の意匠を施すと、洗濯ネットの収容物が見えにくくなる。
さらに、袋体３０のネット部材を、少なくとも全部又は一部を不透明に又は染色したりしてもよく、洗濯ネットの収容物が見えにくくなる。なお、染色温度の異なる複数の合成繊維、天然繊維を適宜編み上げ、染色温度の差等の染色特性を利用して多色に染め上げてもよい。
【実施例４】
【００２３】
実施例４を説明する。
【００２４】
実施例４に係る下着用洗濯ネット４は、図示はしていないが、袋体４０を、少なくとも２つのネット状部材が順次内包して形成される多重の袋体とし、少なくとも２つのネット状部材は、互いに網目の大きさが異なるようにするとよい。このように網目の大きさが異なることで、袋体４０の内部への視認性が落ち、洗濯ネットの収容物が見えにくくなる。
【００２５】
以上、本考案に係る下着用洗濯ネットにおける好ましい実施形態を図示して説明してきたが、本考案の技術的範囲を逸脱することなく種々の変更が可能であることは理解されるであろう。
【産業上の利用可能性】
【００２６】
本考案に係る下着用洗濯ネットによれば、洗濯時の型崩れの防止や、摩擦やねじれによる損傷防止等が図られるとともに、洗濯が終われば、下着を収容したまま洗濯ネット自身を物干しに干すことができるので、下着を第三者に見られることもないため、特に女性向けの洗濯ネットとして広く利用することができる。
【符号の説明】
【００２７】
１  ２  ３  ４  洗濯ネット
１０  ２０  ３０  ４０  袋体
１１  ２１  ３１  ４１  クリップ
１２ａ  １２ｂ  ２２ａ  ２２ｂ  留め具
３２ａ  ３２ｂ  ４２ａ  ４２ｂ  留め具
１００  ２００  開口部
１０１  ２０１  線ファスナ
１０２  ２０２  ３０２  ファスナヘッド
２３ａ  ２３ｂ  把手
【図１】
0003234227.tif 000003
【図２】
0003234227.tif 000004
【図３】
0003234227.tif 000005
【図４】
0003234227.tif 000006
【図５】
0003234227.tif 000007
【図６】
0003234227.tif 000008
【図７】
0003234227.tif 000009
【図８】
0003234227.tif 000010